(57)【要約】【課題】目地間に形成される幅乃至深さに対応して、バックアップ材を確実に所望の部位に充填することができ、しかも作業が容易なバックアップ材の充填用工具を提供する。【解決手段】板状体からなる所要長さのアーム部材２と、このアーム部材２の一端部に回転かつ着脱自在に装着されるローラ部材３とから構成され、ローラ部材３は、外周縁部を側方に折り曲げた円盤状の一対の回転体３Ａ，３Ｂと、この一対の回転体３Ａ，３Ｂを、アーム部材２に回転かつ着脱自在に保持するボルト５及びナット６と、前記ボルト５に軸装され、一対の回転体３Ａ，３Ｂ間の幅を調整するためのスペーサ７及び／又はワッシャ８，８とで構成する。【選択図】　　　図２
2004068572.tif 000002
【特許請求の範囲】
【請求項１】
板状体からなる所要長さのアーム部材と、このアーム部材の一端部に回転かつ着脱自在に装着されるローラ部材とから構成されるものであって、
前記ローラ部材は、外周縁部を弧状に折り曲げて押圧部を形成した円盤状の一対の回転体と、この一対の回転体を、前記アーム部材に回転かつ着脱自在に保持するボルト及びナットと、前記ボルトに軸装され、一対の回転体間の幅を調整するためのスペーサ及び／又はワッシャからなること
を特徴とするバックアップ材の充填用工具。
【請求項２】
前記回転部材は、
前記アーム部材に対し、押圧部を外側にして装着されていること
を特徴とする請求項１に記載のバックアップ材の充填用工具。
【請求項３】
前記回転部材は、
前記アーム部材に対し、押圧部を内側にして装着されていること
を特徴とする請求項１に記載のバックアップ材の充填用工具。
【請求項４】
前記アーム部材は、
他端部を細長くへら状に形成したこと
を特徴とする請求項１〜３のいずれかに記載のバックアップ材の充填用工具。
【請求項５】
前記アーム部材は、
中間部に樹脂又は金属製のグリップを接着剤又はビスで一体的に固着して把持部としたこと
を特徴とする請求項１〜４のいずれかに記載のバックアップ材の充填用工具。
【請求項６】
前記アーム部材は、
中間部にグリップを装着して把持部とするに際し、グリップとアーム部材間に補強板を介在させたこと
を特徴とする請求項１〜５のいずれかに記載のバックアップ材の充填用工具。
【請求項７】
前記補強板は、
樹脂又は金属製で、アーム部材の一面又は両面の所要部位に接着剤又はビスで一体的に固着されていること
を特徴とする請求項６に記載のバックアップ材の充填用工具。
【発明の詳細な説明】
【０００１】
【発明の属する技術分野】
この発明は、軽量発泡コンクリートパネルを外壁材として使用するに際し、軽量発泡コンクリートパネル同士の間に形成される目地間に、バックアップ材を充填するための充填用工具に関するものである。
【０００２】
【従来の技術】
ビルや住宅などの建築物の外壁材として用いられている軽量発泡コンクリートパネル（Ａｕｔｏｃｌａｖｅｄ　Ｌｉｇｈｔｗｅｉｇｈｔ　Ｃｏｎｃｒｅｔｅ：以下「ＡＬＣパネル」という。）は、内部に無数の気泡を有し、軽量性、耐火性、断熱性など優れた特性を有するため、広い範囲で使用されているが、このＡＬＣパネルは、熱伸縮や地震等の振動によるパネル相互間の影響を防止するため、取付け工事に際しては、ＡＬＣパネル間に、５ｍｍ〜２５ｍｍ程の目地を形成している。
【０００３】
このＡＬＣパネル間に形成される目地は、防水および外装材を塗布することから封止する必要があるため、目地幅とほぼ同幅の発泡スチロールなどからなる、断面が円又は矩形状の細長いバックアップ材を目地内に充填し、これを支えにしてシーリング材を塗布するもので、目地内へのバックアップ材の充填は、従来ヘラや先の細い棒を使用して行なっていた。
【０００４】
しかし、ヘラや棒を使ったバックアップ材の目地内への充填方法は、特に断面形状が円形の場合、バックアップ材が捩れ易く、均一な深さで充填されない場合には凸凹が生じ、表面仕上げに影響を及ぼすおそれがあるとともに、作業性が悪く、作業には一定の熟練を要するものであった。
【０００５】
そこで、目地内にバックアップ材を均一に充填でき、かつ短時間に簡単に操作ができる工具として、把持部の端部に、同心状に段差を設けて円盤状のローラを回転自在に取付けたバックアップ材充填用工具（特許文献１参照）が提案されている。
【０００６】
【特許文献１】
実開平４−９２９８４号公報（特許請求の範囲、図１）
【０００７】
【発明が解決しようとする課題】
しかしながら、このバックアップ材充填用工具は、円盤状のローラに同心状に段差が形成されているので、充填する深さが一定の場合には所期の目的を達成することが可能であるが、充填する深さを自在に調整することは不可能で、かつローラの幅が一定であるので、ＡＬＣパネルのように、目地幅が５〜２５ｍｍと一定でなく、箇所によって目地幅にバラツキがある場合には使用することができないものである。
【０００８】
この発明はかかる現状に鑑み、目地間に形成される幅乃至深さに対応して、バックアップ材を確実に所望の部位に充填することができ、しかも作業が容易なバックアップ材の充填用工具を提供せんとするものである。
【０００９】
【課題を解決するための手段】
前記目的を達成するため、この発明の請求項１に記載の発明は、
板状体からなる所要長さのアーム部材と、このアーム部材の一端部に回転かつ着脱自在に装着されるローラ部材とから構成されるものであって、
前記ローラ部材は、外周縁部を弧状に折り曲げて押圧部を形成した円盤状の一対の回転体と、この一対の回転体を、前記アーム部材に回転かつ着脱自在に保持するボルト及びナットと、前記ボルトに軸装され、一対の回転体間の幅を調整するためのスペーサ及び／又はワッシャからなること
を特徴とするバックアップ材の充填用工具である。
【００１０】
また、この発明の請求項２に記載の発明は、
請求項１に記載のバックアップ材の充填用工具において、
前記回転部材は、
前記アーム部材に対し、押圧部を外側にして装着されていること
を特徴とするものである。
【００１１】
また、この発明の請求項３に記載の発明は、
請求項１に記載のバックアップ材の充填用工具において、
前記回転部材は、
前記アーム部材に対し、押圧部を内側にして装着されていること
を特徴とするものである。
【００１２】
また、この発明の請求項４に記載の発明は、
請求項１〜３のいずれかに記載のバックアップ材の充填用工具において、
前記アーム部材は、
他端部を細長くへら状に形成したこと
を特徴とするものである。
【００１３】
また、この発明の請求項５に記載の発明は、
請求項１〜４のいずれかに記載のバックアップ材の充填用工具において、
前記アーム部材は、
中間部に樹脂又は金属製のグリップを接着剤又はビスで一体的に固着して把持部としたこと
を特徴とするものである。
【００１４】
また、この発明の請求項６に記載の発明は、
請求項１〜５のいずれかに記載のバックアップ材の充填用工具において、
前記アーム部材は、
中間部にグリップを装着して把持部とするに際し、グリップとアーム部材間に補強板を介在させたこと
を特徴とするものである。
【００１５】
さらに、この発明の請求項７に記載の発明は、
請求項６に記載のバックアップ材の充填用工具において、
前記補強板は、
樹脂又は金属製で、アーム部材の一面又は両面の所要部位に接着剤又はビスで一体的に固着されていること
を特徴とするものである。
【００１６】
【発明の実施の形態】
以下、この発明に係るバックアップ材の充填用工具の、好ましい実施の形態を添付の図面に基づいて具体的に説明するが、この実施の形態にのみ限定されるものではなく、この発明の要旨を逸脱しない範囲内において種々変更することができるものである。
【００１７】
この発明のバックアップ材の充填用工具１は、所要の厚みを有する板状体からなる所要長さのアーム部材２と、このアーム部材２の一端部に、回転かつ着脱自在に装着される一対のローラ部材３とから構成されるものである。
【００１８】
前記のアーム部材２は、所要の長さと厚みとを有する板状体で構成されるもので、その材質については特段の制限はないが、屋外で使用することを考慮するならば、錆び難い材質のもの、たとえば、ステンレス又は硬質の合成樹脂であることが好ましく、板状体の一方の端部側には、前記ローラ部材３を回転かつ着脱自在に保持するためのボルト挿通孔２ａが形成されるとともに、他端側は細長くへら状に形成し、この端部をへら２ｂとしても使用できるよう構成されている。
【００１９】
なお、このアーム部材２は、目地内に前記ローラ部材３を挿入するため、肉厚のものや、棒状のものが使用できず、可能な限り肉厚の薄い板状体で形成されるが、強度が不足し、かつ操作がし難くなるおそれがあるので、図１に示すようにアーム部材２の一方の面、又は両面にアーム部材２と同幅で所要長さを有する、たとえばアルミ製の補強板９を接着剤又はビスで固着して握持部としたものである。
【００２０】
なお、前記握持部の表面全体を、合成樹脂、金属、布、皮革などからなるグリップ部材（図示せず）で覆うことが好ましいが、前記グリップ部材を所望の肉厚を有する合成樹脂又は金属で形成し、前記アーム部材２の一方の面又は両面に接着剤又はビスで固着することによって、グリップ部材自体でアーム部材２を補強する方がより好ましい。
【００２１】
一方のローラ部材３は、図２で明らかなように、所要の径からなる円板の外周縁部を一方側に滑らかな円弧状に折り曲げて、押圧部４を一体的に形成するとともに、中心部にボルト挿通孔を設けた左右一対の回転体３Ａ，３Ｂと、この回転体３Ａ，３Ｂを、前記アーム部材２に回転かつ着脱自在に保持するボルト５及びナット６と、前記ボルト５に軸装され、一対の回転体３Ａ，３Ｂ間の幅を調整するためのスペーサ７及び／又はワッシャ８とで構成されている。
【００２２】
なお、回転体３Ａ，３Ｂの径は、後述するバックアップ材を目地内に充填するに際し、きわめて大きな影響を与えるもので、一つのローラ部材３で、目地深さが、通常の６〜２０ｍｍの、いずれの深さにも対応する場合には、少なくとも回転体３Ａ，３Ｂは７０ｍｍ前後の径であることが好ましいが、個々の深さに対応すべく、径の異なる複数のローラ部材をあらかじめ用意し、目地の深さに応じて適切な径のローラ部材を選択することも可能である。
【００２３】
また、前記スペーサ７は、装着した際、その外周縁部７ａが、回転体３Ａ，３Ｂの押圧部４の内側に位置する径とするもので、中心部にボルト挿通孔７ａを有し、材質には特段の制限はないものの、前記回転体３Ａ，３Ｂとの回転性を考慮すると、フッ素樹脂、シリコン樹脂、ナイロン樹脂、オレフィン系樹脂などの合成樹脂材料、又はアルミニウムなどの金属材料で成形することが好ましい。
【００２４】
その際、目地の幅は、通常５〜２５ｍｍと一定ではないので、たとえば、スペーサ７と複数のワッシャ８，８・・・・の組み合わせで対応できるようにすることが好ましいが、厚さの異なる複数のスペーサを準備し、幅に合わせてスペーサを取り替えるか、さらには厚さの異なる複数のスペーサを組み合わせて所望の厚みとして対応することも可能で、特に、目地幅が狭い場合には、スペーサ７を使用することなく、複数のワッシャ８の組み合わせで十分である。
【００２５】
かかる部材からなる充填用工具１は、図２に示すように、一方の押圧部４を内側にした回転体３Ａの外側に、ワッシャ８を当接させてボルト５を挿通するとともに、その先端部に所要厚みのスペーサ７を軸装したのち、ボルト５の先端部をアーム部材２のボルト挿通孔２ａに貫通せしめ、ついでボルト５に他方の押圧部４を内側にした回転体３Ｂを軸装し、互いの回転体３Ａ，３Ｂの押圧部４，４間に凹状部を形成させ、他方の回転体３Ｂから突出したボルト５にナット６を係合させることによって構成する。
【００２６】
かくして得られた充填用工具１は、図３に示すように、外壁１１にＡＬＣパネル１２，１２間に形成される目地１３の幅が比較的広い場合に使用するもので、まず、目地１３の開口部にバックアップ材１４を当接し、このバックアップ材１４を回転体３Ａ，３Ｂの押圧部４，４間で係合保持しながら、充填用工具１を目地１３の底部方向に押圧し、しかるのち目地１３に沿ってローラ部材３を上方又は下方に回転させれば、バックアップ材１４を捩れさすとこなく、かつ波打たせることなく目地１３の所定の位置に確実に充填することができるものである。
【００２７】
一方、目地幅が比較的狭い場合には、図４に示すように、各回転体３Ａ，３Ｂの押圧部４，４を互いに相対するよう、すなわち弧状の押圧部４，４が外側に向くようにして配置し、かかる状態を保持しながらボルト５を使用してアーム部材２に回転自在に装着して充填用工具１を構成し、近接する押圧部４，４の先端部を使用して目地内にバックアップ材を充填するものである。
【００２８】
この発明の充填用工具は、上記のごとく構成されているものであるが、目地幅がきわめて小さい大理石などを外壁材として使用する場合など、必要に応じて、前記構成の充填用工具１から、前記回転体３Ａ，３Ｂを取り外し、目地幅に応じて、所要厚みのスペーサ７及びワッシャ８を適宜に組み合わせ、前記アーム部材２にボルト５とナット６で取付けるようにするものである。
【００２９】
【発明の効果】
この発明のバックアップ材の充填用工具は、アーム部材の一方の端部に、バックアップ材を目地内に充填するためのローラ部材を、回転かつ着脱自在に装着しているので、簡単かつ容易に目地部分にバックアップ材を均一に充填することができる。
【００３０】
特に、この発明の充填用工具は、アーム部材に回転かつ着脱自在に取付けるローラ部材を、一対の回転体と、この一対の回転体をアーム部材に回転かつ着脱自在に保持するボルト及びナットと、前記ボルトに軸装され、一対の回転体間の幅を調整するためのスペーサ及び／又はワッシャとで構成しているので、スペーサの取替え、あるいはスペーサと複数のワッシャとの組み合わせによって、目地の幅に最適な幅を有するローラ部材を得ることができる。
【００３１】
また、ローラ部材を構成する一対の回転体は、所要の径からなる円板の外周縁部を一方側に滑らかな弧状に折り曲げて押圧部を一体的に形成したので、弧状に形成された外周縁部を外側に向けて押圧部が互いに相対するようアーム部材に装着することによって、バックアップ材を充填する目地幅が比較的広い場合に対処させることができ、また、弧状に形成された外周縁部を内側に向けて押圧部が互いに相対しないようにアーム部材に装着することによって、バックアップ材を充填する目地幅が比較的狭い場合に対処させることができる。
【００３２】
その際、押圧部間又は外周縁部間に形成される溝が、バックアップ材の一部もしくは全部を係合保持することができるので、バックアップ材を捩れさせることなく、しかも波打つことなく、目地の所定の位置に確実に充填することができるとともに、ローラ部材によるＡＬＣパネルの周面の損傷を防止することができる。
【００３３】
さらに、このバックアップ材の充填用工具は、前記回転体を取り外し、スペーサ及びワッシャを適宜に組み合わせてアーム部材に取付けることによって、目地幅がきわめて小さい大理石などを外壁材として使用する場合であっても、目地内に簡単かつ容易にバックアップ材を充填することができる。
【００３４】
また、このバックアップ材の充填用工具は、アーム部材の他端部にヘラを形成することによって、ローラ部材だけではバックアップ材を均一に充填することができない目地部分の角や端部においても、道具を変更することなく、一つの道具でバックアップ材を充填することができるので、作業能率の向上に大きく助成することができるものである。
【図面の簡単な説明】
【図１】この発明に係るバックアップ材の充填用工具の一例を示す一部切欠き平面図である。
【図２】図１に示した充填用工具の要部の拡大断面図である。
【図３】充填用工具の使用状態を示す説明図である。
【図４】充填用工具の他の例を示す拡大断面図である。
【符号の説明】
１　　　　　　バックアップ材の充填用工具
２　　　　　　アーム部材
３　　　　　　ローラ部材
３Ａ，３Ｂ　　回転体
４　　　　　　押圧部
５　　　　　　ボルト
６　　　　　　ナット
７　　　　　　スペーサ
８　　　　　　ワッシャ
【図１】
2004068572.tif 000003
【図２】
2004068572.tif 000004
【図３】
2004068572.tif 000005
【図４】
2004068572.tif 000006